(57)【要約】      （修正有）【課題】見栄えの良いシンプルな古新聞収納束縛箱内に、束縛及び束縛後に関わる処理装置を取り付け、古新聞を簡単に処理できる機能を持たせる。【解決手段】予め、束縛する紐を箱外に出すことなく配置できる機能を有した古新聞収納束縛箱であって、箱四辺枠１３上部中央断面に凹部１２を設置、フックピン１４を取り付けることによって、紐を外に出すことなく簡単に配置、更に束縛後の古新聞を箱から引き上げ出すことなく簡単に取り出すため、箱四辺枠１３と底板１６を分離、箱四辺枠を引き抜くこととし、そのための四辺枠安定板１８を設置、更に四辺枠安定板にキャスター２０を取り付け、手作業による古新聞処理作業を簡単に短時間で行うことを可能にした。【選択図】図２
2010149924.tif 000002
【特許請求の範囲】
【請求項１】
家庭内に於いて他の家具の装飾と調和するシンプルな蓋付きの箱であって、四つ折り古新聞や広告折込みチラシ等を収納したまま束縛可能としたが、そのために箱四辺枠中央上部に凹部を設置、そこの中央にピンが入る穴を開け、左右をビスで止めたフックピン穴拡大防止板を設置するとともに中央のピン穴にフックピンを差し込む構造としたが、これは予め箱内に古新聞を束縛するための紐を配置するためのものであって、紐の片方を輪状に結びフックピンに掛けもう片方を単にフックに掛けることで箱外に紐が出ないことを目的としたが、箱内に新聞が満杯になった場合、手で押さえると古新聞がまだ箱に入る状態になるが、古新聞を下に抑えた時点で紐も下に引っ張られフックピンから取外すことが大変になるため、紐をフックピンより取り外すのではなくフックピンを抜き簡単に取外すことにしたが、フックピンを差し込み、引き抜きを繰り返した場合、フックピン穴が段々大きくなりフックピンの機能が失われるため、フックピン穴拡大防止板を設置することによりフックピン穴拡大を防止する機能構造としたが、更に箱四辺枠を底板と分離することで古新聞の束縛後、重量有る新聞の束を箱より引き上げることなく、箱四辺枠を引き上げ抜くことにより、簡単で楽に新聞の束を箱より取外す構造とし、更に底板上面中央十時線上に図３に示すように組固定ガイドを設置、これはフックピンに掛けた紐を箱内側面に沿って垂らし底板に到達した時点で直角に底板に這わすことになるが、紐はねじれたり、弾んだり、その性質も一様でないため十字線上に溝を作ってもかなり深い溝が必要であり、その分底板も厚くしなければならないし、紐が浮き上がってしまうため、溝を作らず中央十字線上にそれぞれ２ヶ所、計４ヶ所に鎹状の釘を並列に打ち込み、紐固定ガイドとしたが、紐固定ガイドは新聞の束を縛り上げた時点、紐が自然に外れる機能を有しているため、新聞の束を取り外す時、何の妨害もしない特長を有しているが更に箱四辺枠を底板に嵌め込んだ時点、薄い底板だけならば箱四辺枠はぐらぐらし、安定しないため図２〜１８で示すように底板下部断面すれすれに四辺枠安定板を底板長辺部前後２ヶ所対向部に同じく２ヶ所計４ヶ所取り付け四辺枠安定板を確保、更に四辺枠を底板に嵌め込んだ時点そのまま床面に落ち込まないための四辺枠ストッパーを、図２〜１９で示すように対向する四辺枠安定板にそれぞれ指し渡したが、これは四辺枠と同幅としストッパー板下部の四隅に図５〜２０で示すようにキャスターを配置することでその目的機能を達した特徴を有したが、結果［課題］で示したように、見栄えの良いシンプルな古新聞束縛箱内に、束縛及び束縛後に関わる処理装置を取り付け、古新聞を簡単に処理できる機能を持たせる目的を達成したことにより、［背景技術］［０００２］段落イ）〜チ）で示した諸問題を全て解決した特徴機能を有する古新聞収納束縛箱。
【発明の詳細な説明】
【技術分野】
【０００１】  本発明は読後の四つ折新聞の収納、処理時に発生する諸問題を解決するための古新聞収納束縛に関する。
【背景技術】
【０００２】  従来、特に家庭に於いて読後の新聞は四つ折りにし、一定の場所に収納したり箱に入れたりしているが、見栄えが悪いし古紙として出す又は廃却する時点での処理方法に苦労している現状が有る。
イ）古新聞が乱雑となるため見栄えが悪いため、目立たない場所に置かなければならない。
ロ）特定場所又は収納箱より新聞を取り出さなければならない。
ハ）縛る時点、少し多ければ荷崩れを起こし紐掛けが苦労となる。
ニ）紐が十字に正格に配置出来ない。
ホ）固く縛ることに苦労する。
ヘ）不必要に多く紐を使用する。
ト）処理に時間が掛かる。
チ）一定の量がまちまちになる。【０００３】  家庭に於いては、新聞の処理を当たり前の作業と思ってか時間や苦労が伴ってもそのままの状態を続けている。【０００４】  尚本願発明に関する公知技術として、次の特許文献１，２を挙げることが出来る。【０００５】
【特許文献１】特開平８−１１７４
【特許文献２】特開２００７−２１７１８０
【発明の開示】
【発明が解決しようとする課題】
【０００６】  上述の如く従来技術に関わる収納箱や整理箱等は、新聞を入れる前に紐を配置するか後に配置するかに有るが、何れにせよ床面に箱がべったり接地するため、多少の重量を要する新聞古紙の処理を少し広い場所に移動して行うことが不可能となり、多くの家庭で使用されることは難しい。【０００７】  このため、多くの先行技術が有ったとしても一長一短有り、全てを解決出来る方法を備えていないためか、使用例も見掛けることもなく販売店等でも見ることが出来ない現状である。【０００８】  本発明は、このような点に鑑み成されたものであり、その目的は古新聞が如何にして室内装飾を妨げずに収納出来るか、又、手作業内で起こる全ての問題点を如何にして解決するかにあり、古新聞収納束縛箱を使用することで、上述問題点を容易に解決することにある。
【課題を解決するための手段】
【０００９】  上述の目的を達成する本願発明の古新聞収納束縛箱は、室内装飾を乱すことのないシンプルな箱であって、箱下部４ヶ所に狭い場所においても出し入れが楽に出来るようにキャスターを設置したものであって、箱四辺の枠上部中央に凹部を設置しそこにフックを取り付け紐を取り付けることとし、新聞を箱内で縛り上げた後、取出しが簡単に出来るように箱四辺枠を上に引き上げ、底板に新聞の束が残るようにし、更に底板に紐掛けのためのガイドを縦横十字線上にそれぞれ２ヶ所ずつ、計４ヶ所設置、更に底板裏面に箱四辺枠安定板を取り付け、箱四辺枠ストッパー板を箱安定板に取り付けキャスターをストッパー板に取り付けたことを特徴とする。【００１０】  一例として前記古新聞収納束縛箱は、広い場所で容易に作業するため、狭い場所より箱を引き出し満杯の新聞を縛り上げ、箱四辺枠を引き上げ抜き、側に置き縛り上げた新聞を取り外し、箱四辺枠を底板に差し込み、次期縛り上げるための紐を配置し定場所に戻す一連の動作で作業が終る。
【発明の効果】
【００１１】  以上説明したように本発明によれば、箱四辺枠中央上端に凹部を設置、そこにフックを取り付け紐の端を掛けることとしたため、紐を箱外に垂らすことなく予め縛るための紐を配置出来るので、見栄えの良いシンプルな箱となる。更に箱四辺枠を底板と分離したため、古新聞を縛り上げた時点で箱四辺枠を上部に引き抜くこととなり、縛り上げた新聞の束が底板上に残り取り外しが簡単に出来るし、底板中央十字に結ぶ線上に紐固定ガイドを設置したため、紐が正格に十字に配置出来ることとしたが、このため、溝を作るための厚板を使用せずに済み、更に薄い底板に四辺枠を入れた場合不安定となるため、底板長辺部端面に沿って安定板を取り付けたが、これは底板が底上げした形態になり箱四辺枠がしっくり底板に嵌め込むことが出来、更に安定板下部端面に底板長辺部安定板対向面にストッパー板を差し渡したため、箱四辺枠が床面にそのまま接地することがなく、そのストッパー板に一辺２ヶ所、４ヶ所にキャスターを取り付けたため古新聞収納束縛箱は移動が可能となり、古新聞等処理に関した手作業内で起こる全ての問題点の解決となり、又、家具としても見栄えが良く使用意識を高めるに有効である。
【発明を実施するための最良の形態】
【００１２】  以下、本発明の実施形態を図面に書き詳細に説明する。【００１３】  図１〜図７は本発明の第一の実施に係り、図１は外観斜視図、図２は正面断面図、図３は底板上部図、図４は凹部構造図、図５は底板裏面図、図６は紐掛け状態図、図７は底板中央十字線上に配置した紐固定ガイド図である。【００１４】  図１に示すように古新聞束縛箱１１は外観四辺枠１３、中央上端部に凹部１２とフック１４、それに掛る紐２１と、フックピン拡大防止板１５、四辺枠ストッパー板１９が見えるが紐が箱外に出ない構造を有し、更に蓋２２によって普段内部が見えず、箱外観部家具調の色を施すことによって、シンプルな単なる箱に見え、他の装飾家具に調和するため、どんな場所にでも置くことができる。【００１５】  古新聞収納束縛箱は、図２で示すように箱四辺枠１３中央上部端面下に凹部１２を設置、その場所にフックピン１４の穴拡大防止板１５とフックピン１４を取り付けたが凹部１２によって、蓋２２の取り付けがフックピン１４によって妨害されることもなく、又、蓋の取り付け、取り外しが容易になっているし、更にフックピン１４は紐２１を箱外部に出すことなく引っ掛ける機能を有し、箱四辺枠１３は底板１６に上から嵌めこむ形態となっているため、底板と分離しているが底板１６のみならば箱四辺枠を嵌めこんだ場合不安定となるため、箱四辺枠安定板１８を底板１６長辺部端面に沿って取り付け、更に対向する箱四辺枠安定板１８下部にストッパー板１９を取り付けたが、ストッパー板１９は箱四辺枠１３の対向する外面幅と同等の長さとしたため、箱四辺枠１３の外に出ることなく、箱四辺枠１３を受ける役目を果たしたが更にストッパー板１８下部にキャスター１９を取り付け、移動を容易にした形体を有しているが更に底板には紐掛け固定ガイド１７を取り付けてある。【００１６】  底板１６上部の状態は図３で示すように、中央十字線上に縦２ヶ所、横２ヶ所、計４ヶ所紐掛け固定ガイド１７を設置したが、これはフックピン１４に掛けた紐２１を箱四辺枠内部に垂らし底板１６中央に這わすのだが、紐２１には種々の癖があるため正しく中央に紐２１を配置出来るように固定するものとして凹状を逆にした凸部が長い先の尖った鎹状の釘を用い、紐２１が抜ける幅を残し並列に打ち込んであるが、紐２１は絞り締め上げる時点、紐掛け固定ガイド１７より上に抜ける構造機能を有している。【００１７】  図４は凹部１２の構造を示すもので凹部１２にフックピン穴拡大防止板１５を設置したが、これはフックピン１４に紐２１を掛けた状態で満杯の古新聞を下に押えた場合紐自体も下に押しやられ外す作業が少し困難になるため、フックピン１４から紐を外すのではなくフックピン１４を紐の輪より抜き取ることで簡単に紐２１を取り外すことが出来たが、フックピン１４を何十回、何百回差したり抜いたりすると木造の下穴が段々大きくなり、フックピン１４としての機能が果たせなくなるため、ピンが入る穴を中央に設置し左右にビスで固定する穴を設置したストッパーピン穴拡大防止板１５だが、塩ビ板又は各種鉄板を用いたためピン穴周囲は拡大せず、ピン穴自体もより以上に拡大せず、その機能を果たすことが出来る機能を有している。【００１８】  図５は底板１６���裏面図であるが、箱四辺枠安定板１８と相対する箱四辺枠安定板に差し渡しストッパー板１９を取り付け、更にキャスター２０を取り付けたが、ストッパー板１９は箱四辺枠１３と同幅に設置してあるため底板１６幅より長く、箱四辺枠のストッパーの役目を果たしている。【００１９】  古新聞収納束縛箱内の紐掛け状態は図６で示すように、紐２１の片方を二つに折り、結ぶことにより輪を作りフックピン１４に掛け、箱四辺枠１３内に垂らし、底板１５に達したところでそのまま這わし紐固定ガイド１７、２ヶ所に上から順次嵌めこみ箱四辺枠１３に辿りついた時点、今度は上部フックピン１４まで伸ばしフックピン１４に掛け、そのまま対向する輪状の紐まで伸ばし、そこで紐２１を切断し箱四辺枠１３内に垂らすが、輪状の紐まで伸ばして紐２１を切断することで、必要以上の紐の使用を防止することが出来るし、切断した紐２１をフックピン１４に引っ掛けたまま箱四辺枠１３内に垂らすことができるため、紐２１を箱四辺枠外に出さずに済む特長機能を有している。【００２０】  図７は底板１６中央十字線上に設置した紐が正しく、十字に配置出来るための紐掛け固定ガイド１７として用いる鎹状の釘である。これを紐２１幅２個並列にすることにより、紐２１は充分固定することができるとともに上部が開いているため、縛り上げる時点で紐２１が紐掛け固定ガイド１７より紐が外れる機能を有している。又、市販品として多く製造されているコードを止めるためのステップルが最も適している。
【実施例】
【００２１】  古新聞収納束縛箱１１は主に木製とし、外見シンプルなデザインと色調を施すことで他の装飾家具の間に置いても、その装飾を妨害することなく同調することが出来る特長を有しているが、更にキャスター１９設置により、家具と家具の狭い場所に置いても出し入れが自由となり、広い場所での作業が可能であるが、束縛作業自体は満杯になった四つ折古新聞を上から手で押えると余裕が出来るので更に古新聞を入れることが出来るが、そうして満杯になった古新聞をフックピン１４を抜き取り紐２１の輪の部分を外し、抜き取ったフックピン１４を元の位置に差し込み、今度は対面する箱内に垂らした紐のフックピンを抜き取り、箱内に垂らした紐端を引き出し、又、フックピン１４を元の位置に差し込むがこの動作は古新聞を上から押えた場合、紐２１も下に引っ張られるため紐２１をフックから外すことが少し困難になるため、紐を力を入れて取り外すのではなく、フックピン１４を外すことで簡単に力を要さずに紐２１を取り外せる構造機能を有しているが、フックピン１４から外れた紐２１の輪の部分に対角する箱内から引き出した紐２１の先端を入れ締り上げ縛り更に残るもう片方をその様にして縛れば、古新聞は素早く簡単に固く正格な十字に縛ることが可能となり、箱四辺枠１３を上に引き上げ外せば底板１６台車上に縛られた古新聞が残り、その場所で外すもよし、他の場所で外すもよし、他の場所へ台車のまま運ぶもよし簡単に底板１６より取外すことが可能だが古新聞の束は重量が有るため、重からず、軽からず適当な重さとする必要が有り、これは古新聞収納束縛箱１１の縦の長さを一定にすることにより解決したので、古新聞の束も大きからず小さからず扱い易い大きさを有しているが、古新聞の束を取り外した後は箱四辺枠１３を底板１６に嵌め込み、紐２１を十字に配置すれば一連の作業は終了する。【００２２】  以上、本願発明の実施を説明したが、本発明の範囲は木製が最も適しているが化学合成材又は軽合金等の部分材や、本体であっても適宜選択できるものとする。又、他の雑誌等四つ折新聞以外の大きさのものであっても別途寸法により可能とする。
【産業上の利用可能性】
【００２３】  本発明は新聞収納束縛箱としても単なる家具としても有用な機能を有しているため、製造販売する分野で広く利用することができる。
【図面の簡単な説明】
【００２４】
【図１】  本発明の第一の実施形態に係る古新聞収納束縛箱の斜視図である。
【図２】  図１の古新聞収納箱の断面図である。
【図３】  図１の古新聞収納束縛箱、底板の上面図である。
【図４】  図１の古新聞収納束縛箱四辺枠上部に設置した凹部形体図である。
【図５】  図１の古新聞収納束縛箱底板裏面図である。
【図６】  図１の古新聞収納束縛箱紐掛状態図である。
【図７】  図１の古新聞収納束縛箱底板固定ガイド具図である。
【符号の説明】
【００２５】  １１、古新聞収納束縛箱本体
１２、箱四辺枠中央上端凹部
１３、箱四辺枠
１４、フックピン
１５、フックピン拡大防止板
１６、底板
１７、紐固定ガイド
１８、四辺枠安定板
１９、四辺枠ストッパー板
２０、キャスター
２１、紐
２２、蓋
【図１】
2010149924.tif 000003
【図２】
2010149924.tif 000004
【図３】
2010149924.tif 000005
【図４】
2010149924.tif 000006
【図５】
2010149924.tif 000007
【図６】
2010149924.tif 000008
【図７】
2010149924.tif 000009
【手続補正書】
【提出日】平成21年6月29日(2009.6.29)
【手続補正１】
【補正対象書類名】特許請求の範囲
【補正対象項目名】全文
【補正方法】変更
【補正の内容】
【特許請求の範囲】
【請求項１】
居間等身近に置ける家具であるため木材を主体とした蓋付き古新聞収納束縛箱であって箱四辺枠上辺中央に凹部を設け、凹部底辺にピン穴拡大防止板を取付けたがピン穴拡大防止板は中央にピン穴を開けたもので、これはそこにフックピンを取付け、フックピンを抜いたり差したりした場合、下地が木材であるためフックピン穴が拡大するため、それを防止するものであり、ピン穴にフックピンを取付けそこに予め配置する輪状にした紐端を掛け、箱底板十字線上に中央付近縦、横それぞれ２ヶ所計４ヶ所に十字線上に配置する紐の要所を固定するための鎹状の釘を並列に打ち込み設置したが、これはフックピンに固定された紐を箱内部に垂らし底部に到達した時点対向する箱内側面に向かって這わすのだが十字線上に紐を正格に配置する必要から並列に打ち込んだガイドに上から入れ、要所を固定するものであり、紐はそのまま対向する側面を上がりフックに巻くようにして取付けることにより、日々読後の新聞を入れる前の紐の配置は完了するが更に箱を四辺枠と底板を分離したが、これは古新聞（広告チラシを含む）が満杯になった時点簡単に縛り上げることはできるが重量ある古新聞の束を持ち上げ、箱外に出すことを無くしたもので、軽い四辺枠を抜き上げることで古新聞が底板に残り処理が楽に行えることとしたが更に底板側面に沿って、下部に四辺枠安定板を取付けたが、これは薄い底板のみでは箱を引いたり押した場合不安定となるので、その状態を防止するものだが更に四辺枠安定板下部に四辺枠ストッパー板を取付けたがこれは、四辺枠を底板に差し込んだ際に四辺枠がそのまま床面への落込みを防止するものでありその四辺枠ストッパー板下部にキャスターを取付け移動自由とし本願発明の古新聞収納箱の特徴機能を完成したが、本願発明は、居間等身近な場所で便利に使用出来る家具として予め箱内に縛る紐を外へ出すことなく配置そこへ日々読後の古新聞を収納、四辺枠と底板を分離したことによって、重要な見栄えと古新聞束縛のために関わる難点を解決した最大な特徴機能を有する古新聞収納箱。
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
居間等身近に置ける家具であるため木材を主体とした蓋付き古新聞収納束縛箱であって箱四辺枠上辺中央に凹部を設け、凹部底辺中央にピン穴を開けたピン穴拡大防止板を取付けピン穴に紐を外に出すことなく固定するためのフックピンを差し込み、箱底板に紐を十字に配置固定するための鎹上の釘を底板十字線上中央付近に半分程並列に打ち込み、古新聞束縛後四辺枠を上に引き抜き束を取り外すこととしたため、底板と箱四辺枠を分離、底板下部長辺部四ヶ所に四辺枠安定板を取り付け、四辺枠安定板の下に、四辺枠を支えるためのストッパー板を対向する安定板に取り付けストッパー板の下部にキャスターを取り付け予め箱内に紐を配置した箱に読後の新聞を日々投入満杯時、そのまま束縛、四辺枠を引き上げ簡単に時間を掛けず取外すことを特徴とする古新聞収納箱。